(57)【要約】【課題】ＣＣＯの実施を適切に判定することを図る。【解決手段】ＣＣＯ実施判定対象セルに対するＣＣＯの実施を判定するＣＣＯ実施判定装置であり、前記ＣＣＯ実施判定対象セルに接続する端末が該ＣＣＯ実施判定対象セルのセルサイトエッジ付近に在るかを判定する端末位置判定部１３と、前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定する実施判定部１４と、を備える。【選択図】図３
2014239352.tif 000002
【特許請求の範囲】
【請求項１】
ＣＣＯ実施判定対象セルに対するＣＣＯの実施を判定するＣＣＯ実施判定装置であり、
前記ＣＣＯ実施判定対象セルに接続する端末が該ＣＣＯ実施判定対象セルのセルサイトエッジ付近に在るかを判定する端末位置判定部と、
前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定する実施判定部と、
を備えたことを特徴とするＣＣＯ実施判定装置。
【請求項２】
ＣＣＯ実施判定対象セルに対するＣＣＯの実施を判定するＣＣＯ実施判定装置であり、
前記ＣＣＯ実施判定対象セルに接続する端末が該ＣＣＯ実施判定対象セルのセルサイトエッジ付近に在るかを判定する端末位置判定部と、
前記セルサイトエッジ付近に在ると判定された端末を対象にして、前記ＣＣＯ実施判定対象セルの負荷分散量推定値を算出する負荷分散量推定部と、
前記算出された負荷分散量推定値が閾値以上である場合に、前記ＣＣＯ実施判定対象セルに対してＣＣＯを実施すると判定する実施判定部と、
を備えたことを特徴とするＣＣＯ実施判定装置。
【請求項３】
ＣＣＯ実施判定対象セルに対するＣＣＯの実施を判定するＣＣＯ実施判定装置であり、
前記ＣＣＯ実施判定対象セルに接続する端末が該ＣＣＯ実施判定対象セルのセルサイトエッジ付近に在るかを判定する端末位置判定部と、
前記ＣＣＯ実施判定対象セルに接続する端末ごとに、複数のキャリア周波数に対応するか否かの情報を記憶する端末情報記憶部と、
前記セルサイトエッジ付近に在ると判定された端末を対象にして、前記端末情報記憶部の情報に基づいて複数のキャリア周波数に対応する端末の割合を算出し、該算出された割合が閾値以下である場合に、前記ＣＣＯ実施判定対象セルに対してＣＣＯを実施すると判定する実施判定部と、
を備えたことを特徴とするＣＣＯ実施判定装置。
【請求項４】
ＣＣＯ実施判定対象セルに対するＣＣＯの実施を判定するＣＣＯ実施判定装置であり、
前記ＣＣＯ実施判定対象セルと隣接セル間で発生したハンドオーバの回数を記憶するハンドオーバ回数情報記憶部と、
前記ハンドオーバの回数が閾値以上である場合に、前記ＣＣＯ実施判定対象セルに対してＣＣＯを実施すると判定する実施判定部と、
を備えたことを特徴とするＣＣＯ実施判定装置。
【請求項５】
ＣＣＯ実施判定対象セルに対するＣＣＯの実施を判定するＣＣＯ実施判定装置であり、
前記ＣＣＯ実施判定対象セルから隣接セルへ流出する方向のハンドオーバの発生した回数（流出ハンドオーバ回数）を記憶するハンドオーバ回数情報記憶部と、
前記流出ハンドオーバ回数が流出閾値以上である場合に、前記ＣＣＯ実施判定対象セルに対してＣＣＯを実施すると判定する実施判定部と、
を備えたことを特徴とするＣＣＯ実施判定装置。
【請求項６】
ＣＣＯ実施判定対象セルに対するＣＣＯの実施を判定するＣＣＯ実施判定装置であり、
前記ＣＣＯ実施判定対象セルから隣接セルへ流出する方向のハンドオーバの発生した回数（流出ハンドオーバ回数）と、隣接セルから前記ＣＣＯ実施判定対象セルへ流入する方向のハンドオーバの発生した回数（流入ハンドオーバ回数）とを記憶するハンドオーバ回数情報記憶部と、
前記流出ハンドオーバ回数が流出閾値以上であり、且つ、前記流入ハンドオーバ回数が流入閾値以下である場合に、前記ＣＣＯ実施判定対象セルに対してＣＣＯを実施すると判定する実施判定部と、を備え、
前記流入閾値は前記流出閾値以下である、
ことを特徴とするＣＣＯ実施判定装置。
【請求項７】
ＣＣＯ実施判定対象セルに対するＣＣＯの実施を判定するＣＣＯ実施判定装置であり、
前記ＣＣＯ実施判定対象セルの隣接セルごとに負荷量を記憶するセル負荷情報記憶部と、
前記セル負荷情報記憶部の情報に基づいて、前記ＣＣＯ実施判定対象セルの全隣接セルの負荷の平均値（隣接セル負荷平均値）を算出し、該隣接セル負荷平均値が負荷平均閾値以下である場合に、前記ＣＣＯ実施判定対象セルに対してＣＣＯを実施すると判定する実施判定部と、
を備えたことを特徴とするＣＣＯ実施判定装置。
【請求項８】
ＣＣＯ実施判定対象セルに対するＣＣＯの実施を判定するＣＣＯ実施判定装置であり、
前記ＣＣＯ実施判定対象セルの隣接セルごとに負荷量を記憶するセル負荷情報記憶部と、
前記セル負荷情報記憶部の情報に基づいて、前記ＣＣＯ実施判定対象セルの隣接セルのうち、負荷量が最大である隣接セルの負荷量（隣接セル最大負荷量）を求め、該隣接セル最大負荷量が最大負荷閾値以下である場合に、前記ＣＣＯ実施判定対象セルに対してＣＣＯを実施すると判定する実施判定部と、
を備えたことを特徴とするＣＣＯ実施判定装置。
【請求項９】
ＣＣＯ実施判定対象セルに対するＣＣＯの実施を判定するＣＣＯ実施判定装置であり、
前記ＣＣＯ実施判定対象セルの隣接セルごとに負荷量を記憶するセル負荷情報記憶部と、
前記セル負荷情報記憶部の情報に基づいて、前記ＣＣＯ実施判定対象セルの全隣接セルの負荷の平均値（隣接セル負荷平均値）を算出し、前記ＣＣＯ実施判定対象セルの隣接セルのうち負荷量が最大である隣接セルの負荷量（隣接セル最大負荷量）を求め、該隣接セル負荷平均値が負荷平均閾値以下である場合、該隣接セル最大負荷量が最大負荷閾値以下である場合、又は、該隣接セル負荷平均値が負荷平均閾値以下であり且つ該隣接セル最大負荷量が最大負荷閾値以下である場合に、前記ＣＣＯ実施判定対象セルに対してＣＣＯを実施すると判定する実施判定部と、
を備えたことを特徴とするＣＣＯ実施判定装置。
【請求項１０】
ＣＣＯ実施判定対象セルに対するＣＣＯの実施を判定するＣＣＯ実施判定装置であり、
前記ＣＣＯ実施判定対象セルのカバレッジホールに対する補償の前後における通信品質変化量を計算する通信品質変化量計算部と、
前記通信品質変化量が閾値以上である場合に、前記ＣＣＯ実施判定対象セルに対してＣＣＯを実施すると判定する実施判定部と、
を備えたことを特徴とするＣＣＯ実施判定装置。
【請求項１１】
ＣＣＯ実施判定対象セルに対するＣＣＯの実施を判定するＣＣＯ実施判定装置であり、
前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定部と、
前記ＣＣＯ実施判定対象セルに接続する全端末のうち、セルサイトエッジ付近に在ると判定された端末の割合と、同一セルサイト内セルエッジ付近に在ると判定された端末の割合とに基づいて、前記ＣＣＯ実施判定対象セルに対して、アンテナチルト制御を実施するかの判定と、アンテナビーム幅制御を実施するかの判定とを行う実施判定部と、
を備えたことを特徴とするＣＣＯ実施判定装置。
【請求項１２】
ＣＣＯ実施判定対象セルに対するＣＣＯの実施を判定するＣＣＯ実施判定装置であり、
前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定部と、
前記セルサイトエッジ付近に在ると判定された端末を対象にして前記ＣＣＯ実施判定対象セルのセルサイトエッジ負荷分散量推定値を算出し、前記同一セルサイト内セルエッジ付近に在ると判定された端末を対象にして前記ＣＣＯ実施判定対象セルの同一セルサイト内セルエッジ負荷分散量推定値を算出する負荷分散量推定部と、
前記セルサイトエッジ負荷分散量推定値と前記同一セルサイト内セルエッジ負荷分散量推定値とに基づいて、前記ＣＣＯ実施判定対象セルに対して、アンテナチルト制御を実施するかの判定と、アンテナビーム幅制御を実施するかの判定とを行う実施判定部と、
を備えたことを特徴とするＣＣＯ実施判定装置。
【請求項１３】
ＣＣＯ実施判定対象セルに対するＣＣＯの実施を判定するＣＣＯ実施判定装置であり、
前記ＣＣＯ実施判定対象セルの隣接セルごとに負荷量を記憶するセル負荷情報記憶部と、
前記セル負荷情報記憶部の情報に基づいて、前記ＣＣＯ実施判定対象セルと異なるセルサイト内の全隣接セルの負荷の平均値（異セルサイト隣接セル負荷平均値）と、前記ＣＣＯ実施判定対象セルと同一セルサイト内の全隣接セルの負荷の平均値（同一セルサイト隣接セル負荷平均値）とを算出し、前記異セルサイト隣接セル負荷平均値と前記同一セルサイト隣接セル負荷平均値とに基づいて、前記ＣＣＯ実施判定対象セルに対して、アンテナチルト制御を実施するかの判定と、アンテナビーム幅制御を実施するかの判定とを行う実施判定部と、
を備えたことを特徴とするＣＣＯ実施判定装置。
【請求項１４】
ＣＣＯ実施判定対象セルに対するＣＣＯの実施を判定するＣＣＯ実施判定装置におけるＣＣＯ実施判定方法であり、
端末位置判定部が、前記ＣＣＯ実施判定対象セルに接続する端末が該ＣＣＯ実施判定対象セルのセルサイトエッジ付近に在るかを判定するステップと、
実施判定部が、前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定するステップと、
を含むことを特徴とするＣＣＯ実施判定方法。
【請求項１５】
ＣＣＯ実施判定対象セルに対するＣＣＯの実施を判定するＣＣＯ実施判定装置におけるＣＣＯ実施判定方法であり、
端末位置判定部が、前記ＣＣＯ実施判定対象セルに接続する端末が該ＣＣＯ実施判定対象セルのセルサイトエッジ付近に在るかを判定するステップと、
負荷分散量推定部が、前記セルサイトエッジ付近に在ると判定された端末を対象にして、前記ＣＣＯ実施判定対象セルの負荷分散量推定値を算出するステップと、
実施判定部が、前記算出された負荷分散量推定値が閾値以上である場合に、前記ＣＣＯ実施判定対象セルに対してＣＣＯを実施すると判定するステップと、
を含むことを特徴とするＣＣＯ実施判定方法。
【請求項１６】
ＣＣＯ実施判定対象セルに対するＣＣＯの実施を判定するＣＣＯ実施判定装置におけるＣＣＯ実施判定方法であり、
端末位置判定部が、前記ＣＣＯ実施判定対象セルに接続する端末が該ＣＣＯ実施判定対象セルのセルサイトエッジ付近に在るかを判定するステップと、
端末情報記憶部が、前記ＣＣＯ実施判定対象セルに接続する端末ごとに、複数のキャリア周波数に対応するか否かの情報を記憶するステップと、
実施判定部が、前記セルサイトエッジ付近に在ると判定された端末を対象にして、前記端末情報記憶部の情報に基づいて複数のキャリア周波数に対応する端末の割合を算出し、該算出された割合が閾値以下である場合に、前記ＣＣＯ実施判定対象セルに対してＣＣＯを実施すると判定するステップと、
を含むことを特徴とするＣＣＯ実施判定方法。
【請求項１７】
ＣＣＯ実施判定対象セルに対するＣＣＯの実施を判定するＣＣＯ実施判定装置におけるＣＣＯ実施判定方法であり、
ハンドオーバ回数情報記憶部が、前記ＣＣＯ実施判定対象セルと隣接セル間で発生したハンドオーバの回数を記憶するステップと、
実施判定部が、前記ハンドオーバの回数が閾値以上である場合に、前記ＣＣＯ実施判定対象セルに対してＣＣＯを実施すると判定するステップと、
を含むことを特徴とするＣＣＯ実施判定方法。
【請求項１８】
ＣＣＯ実施判定対象セルに対するＣＣＯの実施を判定するＣＣＯ実施判定装置におけるＣＣＯ実施判定方法であり、
ハンドオーバ回数情報記憶部が、前記ＣＣＯ実施判定対象セルから隣接セルへ流出する方向のハンドオーバの発生した回数（流出ハンドオーバ回数）を記憶するステップと、
実施判定部が、前記流出ハンドオーバ回数が流出閾値以上である場合に、前記ＣＣＯ実施判定対象セルに対してＣＣＯを実施すると判定するステップと、
を含むことを特徴とするＣＣＯ実施判定方法。
【請求項１９】
ＣＣＯ実施判定対象セルに対するＣＣＯの実施を判定するＣＣＯ実施判定装置におけるＣＣＯ実施判定方法であり、
ハンドオーバ回数情報記憶部が、前記ＣＣＯ実施判定対象セルから隣接セルへ流出する方向のハンドオーバの発生した回数（流出ハンドオーバ回数）と、隣接セルから前記ＣＣＯ実施判定対象セルへ流入する方向のハンドオーバの発生した回数（流入ハンドオーバ回数）とを記憶するステップと、
実施判定部が、前記流出ハンドオーバ回数が流出閾値以上であり、且つ、前記流入ハンドオーバ回数が流入閾値以下である場合に、前記ＣＣＯ実施判定対象セルに対してＣＣＯを実施すると判定するステップと、を含み、
前記流入閾値は前記流出閾値以下である、
ことを特徴とするＣＣＯ実施判定方法。
【請求項２０】
ＣＣＯ実施判定対象セルに対するＣＣＯの実施を判定するＣＣＯ実施判定装置におけるＣＣＯ実施判定方法であり、
セル負荷情報記憶部が、前記ＣＣＯ実施判定対象セルの隣接セルごとに負荷量を記憶するステップと、
実施判定部が、前記セル負荷情報記憶部の情報に基づいて、前記ＣＣＯ実施判定対象セルの全隣接セルの負荷の平均値（隣接セル負荷平均値）を算出し、該隣接セル負荷平均値が負荷平均閾値以下である場合に、前記ＣＣＯ実施判定対象セルに対してＣＣＯを実施すると判定するステップと、
を含むことを特徴とするＣＣＯ実施判定方法。
【請求項２１】
ＣＣＯ実施判定対象セルに対するＣＣＯの実施を判定するＣＣＯ実施判定装置におけるＣＣＯ実施判定方法であり、
セル負荷情報記憶部が、前記ＣＣＯ実施判定対象セルの隣接セルごとに負荷量を記憶するステップと、
実施判定部が、前記セル負荷情報記憶部の情報に基づいて、前記ＣＣＯ実施判定対象セルの隣接セルのうち、負荷量が最大である隣接セルの負荷量（隣接セル最大負荷量）を求め、該隣接セル最大負荷量が最大負荷閾値以下である場合に、前記ＣＣＯ実施判定対象セルに対してＣＣＯを実施すると判定するステップと、
を含むことを特徴とするＣＣＯ実施判定方法。
【請求項２２】
ＣＣＯ実施判定対象セルに対するＣＣＯの実施を判定するＣＣＯ実施判定装置におけるＣＣＯ実施判定方法であり、
セル負荷情報記憶部が、前記ＣＣＯ実施判定対象セルの隣接セルごとに負荷量を記憶するステップと、
実施判定部が、前記セル負荷情報記憶部の情報に基づいて、前記ＣＣＯ実施判定対象セルの全隣接セルの負荷の平均値（隣接セル負荷平均値）を算出し、前記ＣＣＯ実施判定対象セルの隣接セルのうち負荷量が最大である隣接セルの負荷量（隣接セル最大負荷量）を求め、該隣接セル負荷平均値が負荷平均閾値以下である場合、該隣接セル最大負荷量が最大負荷閾値以下である場合、又は、該隣接セル負荷平均値が負荷平均閾値以下であり且つ該隣接セル最大負荷量が最大負荷閾値以下である場合に、前記ＣＣＯ実施判定対象セルに対してＣＣＯを実施すると判定するステップと、
を含むことを特徴とするＣＣＯ実施判定方法。
【請求項２３】
ＣＣＯ実施判定対象セルに対するＣＣＯの実施を判定するＣＣＯ実施判定装置におけるＣＣＯ実施判定方法であり、
通信品質変化量計算部が、前記ＣＣＯ実施判定対象セルのカバレッジホールに対する補償の前後における通信品質変化量を計算するステップと、
実施判定部が、前記通信品質変化量が閾値以上である場合に、前記ＣＣＯ実施判定対象セルに対してＣＣＯを実施すると判定するステップと、
を含むことを特徴とするＣＣＯ実施判定方法。
【請求項２４】
ＣＣＯ実施判定対象セルに対するＣＣＯの実施を判定するＣＣＯ実施判定装置におけるＣＣＯ実施判定方法であり、
端末位置判定部が、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行うステップと、
実施判定部が、前記ＣＣＯ実施判定対象セルに接続する全端末のうち、セルサイトエッジ付近に在ると判定された端末の割合と、同一セルサイト内セルエッジ付近に在ると判定された端末の割合とに基づいて、前記ＣＣＯ実施判定対象セルに対して、アンテナチルト制御を実施するかの判定と、アンテナビーム幅制御を実施するかの判定とを行うステップと、
を含むことを特徴とするＣＣＯ実施判定方法。
【請求項２５】
ＣＣＯ実施判定対象セルに対するＣＣＯの実施を判定するＣＣＯ実施判定装置におけるＣＣＯ実施判定方法であり、
端末位置判定部が、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行うステップと、
負荷分散量推定部が、前記セルサイトエッジ付近に在ると判定された端末を対象にして前記ＣＣＯ実施判定対象セルのセルサイトエッジ負荷分散量推定値を算出し、前記同一セルサイト内セルエッジ付近に在ると判定された端末を対象にして前記ＣＣＯ実施判定対象セルの同一セルサイト内セルエッジ負荷分散量推定値を算出するステップと、
実施判定部が、前記セルサイトエッジ負荷分散量推定値と前記同一セルサイト内セルエッジ負荷分散量推定値とに基づいて、前記ＣＣＯ実施判定対象セルに対して、アンテナチルト制御を実施するかの判定と、アンテナビーム幅制御を実施するかの判定とを行うステップと、
を含むことを特徴とするＣＣＯ実施判定方法。
【請求項２６】
ＣＣＯ実施判定対象セルに対するＣＣＯの実施を判定するＣＣＯ実施判定装置におけるＣＣＯ実施判定方法であり、
セル負荷情報記憶部が、前記ＣＣＯ実施判定対象セルの隣接セルごとに負荷量を記憶するステップと、
実施判定部が、前記セル負荷情報記憶部の情報に基づいて、前記ＣＣＯ実施判定対象セルと異なるセルサイト内の全隣接セルの負荷の平均値（異セルサイト隣接セル負荷平均値）と、前記ＣＣＯ実施判定対象セルと同一セルサイト内の全隣接セルの負荷の平均値（同一セルサイト隣接セル負荷平均値）とを算出し、前記異セルサイト隣接セル負荷平均値と前記同一セルサイト隣接セル負荷平均値とに基づいて、前記ＣＣＯ実施判定対象セルに対して、アンテナチルト制御を実施するかの判定と、アンテナビーム幅制御を実施するかの判定とを行うステップと、
を含むことを特徴とするＣＣＯ実施判定方法。
【請求項２７】
ＣＣＯ実施判定対象セルに対するＣＣＯの実施を判定するＣＣＯ実施判定処理を行うためのコンピュータプログラムであって、
前記ＣＣＯ実施判定対象セルに接続する端末が該ＣＣＯ実施判定対象セルのセルサイトエッジ付近に在るかを判定する端末位置判定ステップと、
前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定する実施判定ステップと、
をコンピュータに実行させるためのコンピュータプログラム。
【請求項２８】
ＣＣＯ実施判定対象セルに対するＣＣＯの実施を判定するＣＣＯ実施判定処理を行うためのコンピュータプログラムであって、
前記ＣＣＯ実施判定対象セルに接続する端末が該ＣＣＯ実施判定対象セルのセルサイトエッジ付近に在るかを判定する端末位置判定ステップと、
前記セルサイトエッジ付近に在ると判定された端末を対象にして、前記ＣＣＯ実施判定対象セルの負荷分散量推定値を算出する負荷分散量推定ステップと、
前記算出された負荷分散量推定値が閾値以上である場合に、前記ＣＣＯ実施判定対象セルに対してＣＣＯを実施すると判定する実施判定ステップと、
をコンピュータに実行させるためのコンピュータプログラム。
【請求項２９】
ＣＣＯ実施判定対象セルに対するＣＣＯの実施を判定するＣＣＯ実施判定処理を行うためのコンピュータプログラムであって、
前記ＣＣＯ実施判定対象セルに接続する端末が該ＣＣＯ実施判定対象セルのセルサイトエッジ付近に在るかを判定する端末位置判定ステップと、
前記ＣＣＯ実施判定対象セルに接続する端末ごとに、複数のキャリア周波数に対応するか否かの情報を端末情報記憶部に記憶する端末情報記憶ステップと、
前記セルサイトエッジ付近に在ると判定された端末を対象にして、前記端末情報記憶部の情報に基づいて複数のキャリア周波数に対応する端末の割合を算出し、該算出された割合が閾値以下である場合に、前記ＣＣＯ実施判定対象セルに対してＣＣＯを実施すると判定する実施判定ステップと、
をコンピュータに実行させるためのコンピュータプログラム。
【請求項３０】
ＣＣＯ実施判定対象セルに対するＣＣＯの実施を判定するＣＣＯ実施判定処理を行うためのコンピュータプログラムであって、
前記ＣＣＯ実施判定対象セルと隣接セル間で発生したハンドオーバの回数をハンドオーバ回数情報記憶部に記憶するハンドオーバ回数情報記憶ステップと、
前記ハンドオーバの回数が閾値以上である場合に、前記ＣＣＯ実施判定対象セルに対してＣＣＯを実施すると判定する実施判定ステップと、
をコンピュータに実行させるためのコンピュータプログラム。
【請求項３１】
ＣＣＯ実施判定対象セルに対するＣＣＯの実施を判定するＣＣＯ実施判定処理を行うためのコンピュータプログラムであって、
前記ＣＣＯ実施判定対象セルから隣接セルへ流出する方向のハンドオーバの発生した回数（流出ハンドオーバ回数）をハンドオーバ回数情報記憶部に記憶するハンドオーバ回数情報記憶ステップと、
前記流出ハンドオーバ回数が流出閾値以上である場合に、前記ＣＣＯ実施判定対象セルに対してＣＣＯを実施すると判定する実施判定ステップと、
をコンピュータに実行させるためのコンピュータプログラム。
【請求項３２】
ＣＣＯ実施判定対象セルに対するＣＣＯの実施を判定するＣＣＯ実施判定処理を行うためのコンピュータプログラムであって、
前記ＣＣＯ実施判定対象セルから隣接セルへ流出する方向のハンドオーバの発生した回数（流出ハンドオーバ回数）と、隣接セルから前記ＣＣＯ実施判定対象セルへ流入する方向のハンドオーバの発生した回数（流入ハンドオーバ回数）とをハンドオーバ回数情報記憶部に記憶するハンドオーバ回数情報記憶ステップと、
前記流出ハンドオーバ回数が流出閾値以上であり、且つ、前記流入ハンドオーバ回数が流入閾値以下である場合に、前記ＣＣＯ実施判定対象セルに対してＣＣＯを実施すると判定する実施判定ステップと、をコンピュータに実行させるためのコンピュータプログラムであり、
前記流入閾値は前記流出閾値以下である、
ことを特徴とするコンピュータプログラム。
【請求項３３】
ＣＣＯ実施判定対象セルに対するＣＣＯの実施を判定するＣＣＯ実施判定処理を行うためのコンピュータプログラムであって、
前記ＣＣＯ実施判定対象セルの隣接セルごとに負荷量をセル負荷情報記憶部に記憶するセル負荷情報記憶ステップと、
前記セル負荷情報記憶部の情報に基づいて、前記ＣＣＯ実施判定対象セルの全隣接セルの負荷の平均値（隣接セル負荷平均値）を算出し、該隣接セル負荷平均値が負荷平均閾値以下である場合に、前記ＣＣＯ実施判定対象セルに対してＣＣＯを実施すると判定する実施判定ステップと、
をコンピュータに実行させるためのコンピュータプログラム。
【請求項３４】
ＣＣＯ実施判定対象セルに対するＣＣＯの実施を判定するＣＣＯ実施判定処理を行うためのコンピュータプログラムであって、
前記ＣＣＯ実施判定対象セルの隣接セルごとに負荷量をセル負荷情報記憶部に記憶するセル負荷情報記憶ステップと、
前記セル負荷情報記憶部の情報に基づいて、前記ＣＣＯ実施判定対象セルの隣接セルのうち、負荷量が最大である隣接セルの負荷量（隣接セル最大負荷量）を求め、該隣接セル最大負荷量が最大負荷閾値以下である場合に、前記ＣＣＯ実施判定対象セルに対してＣＣＯを実施すると判定する実施判定ステップと、
をコンピュータに実行させるためのコンピュータプログラム。
【請求項３５】
ＣＣＯ実施判定対象セルに対するＣＣＯの実施を判定するＣＣＯ実施判定処理を行うためのコンピュータプログラムであって、
前記ＣＣＯ実施判定対象セルの隣接セルごとに負荷量をセル負荷情報記憶部に記憶するセル負荷情報記憶ステップと、
前記セル負荷情報記憶部の情報に基づいて、前記ＣＣＯ実施判定対象セルの全隣接セルの負荷の平均値（隣接セル負荷平均値）を算出し、前記ＣＣＯ実施判定対象セルの隣接セルのうち負荷量が最大である隣接セルの負荷量（隣接セル最大負荷量）を求め、該隣接セル負荷平均値が負荷平均閾値以下である場合、該隣接セル最大負荷量が最大負荷閾値以下である場合、又は、該隣接セル負荷平均値が負荷平均閾値以下であり且つ該隣接セル最大負荷量が最大負荷閾値以下である場合に、前記ＣＣＯ実施判定対象セルに対してＣＣＯを実施すると判定する実施判定ステップと、
をコンピュータに実行させるためのコンピュータプログラム。
【請求項３６】
ＣＣＯ実施判定対象セルに対するＣＣＯの実施を判定するＣＣＯ実施判定処理を行うためのコンピュータプログラムであって、
前記ＣＣＯ実施判定対象セルのカバレッジホールに対する補償の前後における通信品質変化量を計算する通信品質変化量計算ステップと、
前記通信品質変化量が閾値以上である場合に、前記ＣＣＯ実施判定対象セルに対してＣＣＯを実施すると判定する実施判定ステップと、
をコンピュータに実行させるためのコンピュータプログラム。
【請求項３７】
ＣＣＯ実施判定対象セルに対するＣＣＯの実施を判定するＣＣＯ実施判定処理を行うためのコンピュータプログラムであって、
前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定ステップと、
前記ＣＣＯ実施判定対象セルに接続する全端末のうち、セルサイトエッジ付近に在ると判定された端末の割合と、同一セルサイト内セルエッジ付近に在ると判定された端末の割合とに基づいて、前記ＣＣＯ実施判定対象セルに対して、アンテナチルト制御を実施するかの判定と、アンテナビーム幅制御を実施するかの判定とを行う実施判定ステップと、
をコンピュータに実行させるためのコンピュータプログラム。
【請求項３８】
ＣＣＯ実施判定対象セルに対するＣＣＯの実施を判定するＣＣＯ実施判定処理を行うためのコンピュータプログラムであって、
前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定ステップと、
前記セルサイトエッジ付近に在ると判定された端末を対象にして前記ＣＣＯ実施判定対象セルのセルサイトエッジ負荷分散量推定値を算出し、前記同一セルサイト内セルエッジ付近に在ると判定された端末を対象にして前記ＣＣＯ実施判定対象セルの同一セルサイト内セルエッジ負荷分散量推定値を算出する負荷分散量推定ステップと、
前記セルサイトエッジ負荷分散量推定値と前記同一セルサイト内セルエッジ負荷分散量推定値とに基づいて、前記ＣＣＯ実施判定対象セルに対して、アンテナチルト制御を実施するかの判定と、アンテナビーム幅制御を実施するかの判定とを行う実施判定ステップと、
をコンピュータに実行させるためのコンピュータプログラム。
【請求項３９】
ＣＣＯ実施判定対象セルに対するＣＣＯの実施を判定するＣＣＯ実施判定処理を行うためのコンピュータプログラムであって、
前記ＣＣＯ実施判定対象セルの隣接セルごとに負荷量をセル負荷情報記憶部に記憶するセル負荷情報記憶ステップと、
前記セル負荷情報記憶部の情報に基づいて、前記ＣＣＯ実施判定対象セルと異なるセルサイト内の全隣接セルの負荷の平均値（異セルサイト隣接セル負荷平均値）と、前記ＣＣＯ実施判定対象セルと同一セルサイト内の全隣接セルの負荷の平均値（同一セルサイト隣接セル負荷平均値）とを算出し、前記異セルサイト隣接セル負荷平均値と前記同一セルサイト隣接セル負荷平均値とに基づいて、前記ＣＣＯ実施判定対象セルに対して、アンテナチルト制御を実施するかの判定と、アンテナビーム幅制御を実施するかの判定とを行う実施判定ステップと、
をコンピュータに実行させるためのコンピュータプログラム。
【発明の詳細な説明】
【技術分野】
【０００１】
本発明は、ＣＣＯ実施判定装置、ＣＣＯ実施判定方法およびコンピュータプログラムに関する。
【背景技術】
【０００２】
近年、ＬＴＥ（Long Term Evolution）と呼ばれる無線通信システム等の高速通信が可能な無線通信システムが運用開始されたことにより、セルラーネットワークにおける通信トラヒック量が爆発的に増大している。あるセルに通信トラヒックが集中すると、当該セルの処理能力の低下や無線リソースの枯渇により、当該セルに接続する端末の通信品質が全体的に劣化する場合がある。これを解決する手法の一つとして、ＣＣＯ（Coverage and Capacity Optimization）技術が検討されている。ＣＣＯ技術は、無線通信システムのＳＯＮ（Self-Organizing Networks）機能の一つであり、基地局アンテナのチルト角または基地局からの送信電力を制御することで、基地局のセルのカバレッジや通信容量を最適化するための技術である。ＣＣＯ技術によれば、セルのカバレッジを狭くして当該セルのカバレッジ内の端末数を減らすことにより、当該セルに対する通信トラヒックの集中を緩和させて、当該セルに接続する端末の通信品質を全体的に向上させることが可能である（例えば非特許文献１参照）。
【先行技術文献】
【非特許文献】
【０００３】
【非特許文献１】M.Petersen, et al, “Automatic antenna tilt control for capacity enhancement in UMTS FDD,” IEEE VTC Fall, Sept. 2004.
【発明の概要】
【発明が解決しようとする課題】
【０００４】
しかし、上述した従来のＣＣＯ技術では、以下に示すような課題がある。
【０００５】
図１０は従来のＣＣＯ技術を説明するための説明図である。図１０（１）では、隣接するセル＃Ａ、＃Ｂにおいて、セル＃Ａの方に端末が集中して接続している。ここで、図１０（２）に示されるように、従来のＣＣＯ技術を用いてセル＃Ａのカバレッジを狭くして当該セル＃Ａのカバレッジ内の端末数を減らすことを試みる。しかしながら、セル＃Ａに接続する端末の位置や該端末の通信トラヒック量などの状況によっては、セル＃Ａのカバレッジを狭くしても、当該セル＃Ａのカバレッジ内の端末数があまり減らない、又は、当該セル＃Ａにおける通信トラヒック量があまり減らない、ことが起こり得る。また、図１０（２）に示されるように、セル＃Ａのカバレッジを狭くすることにより、基地局からの受信電力が極端に弱いエリア（以下、カバレッジホールと称する）が発生する恐れがある。
【０００６】
本発明は、このような事情を考慮してなされたもので、ＣＣＯの実施を適切に判定することができるＣＣＯ実施判定装置、ＣＣＯ実施判定方法およびコンピュータプログラムを提供することを課題とする。
【課題を解決するための手段】
【０００７】
本発明に係るＣＣＯ実施判定装置は、ＣＣＯ実施判定対象セルに対するＣＣＯの実施を判定するＣＣＯ実施判定装置であり、前記ＣＣＯ実施判定対象セルに接続する端末が該ＣＣＯ実施判定対象セルのセルサイトエッジ付近に在るかを判定する端末位置判定部と、前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定する実施判定部と、を備えたことを特徴とする。
【０００８】
本発明に係るＣＣＯ実施判定装置は、ＣＣＯ実施判定対象セルに対するＣＣＯの実施を判定するＣＣＯ実施判定装置であり、前記ＣＣＯ実施判定対象セルに接続する端末が該ＣＣＯ実施判定対象セルのセルサイトエッジ付近に在るかを判定する端末位置判定部と、前記セルサイトエッジ付近に在ると判定された端末を対象にして、前記ＣＣＯ実施判定対象セルの負荷分散量推定値を算出する負荷分散量推定部と、前記算出された負荷分散量推定値が閾値以上である場合に、前記ＣＣＯ実施判定対象セルに対してＣＣＯを実施すると判定する実施判定部と、を備えたことを特徴とする。
【０００９】
本発明に係るＣＣＯ実施判定装置は、ＣＣＯ実施判定対象セルに対するＣＣＯの実施を判定するＣＣＯ実施判定装置であり、前記ＣＣＯ実施判定対象セルに接続する端末が該ＣＣＯ実施判定対象セルのセルサイトエッジ付近に在るかを判定する端末位置判定部と、前記ＣＣＯ実施判定対象セルに接続する端末ごとに、複数のキャリア周波数に対応するか否かの情報を記憶する端末情報記憶部と、前記セルサイトエッジ付近に在ると判定された端末を対象にして、前記端末情報記憶部の情報に基づいて複数のキャリア周波数に対応する端末の割合を算出し、該算出された割合が閾値以下である場合に、前記ＣＣＯ実施判定対象セルに対してＣＣＯを実施すると判定する実施判定部と、を備えたことを特徴とする。
【００１０】
本発明に係るＣＣＯ実施判定装置は、ＣＣＯ実施判定対象セルに対するＣＣＯの実施を判定するＣＣＯ実施判定装置であり、前記ＣＣＯ実施判定対象セルと隣接セル間で発生したハンドオーバの回数を記憶するハンドオーバ回数情報記憶部と、前記ハンドオーバの回数が閾値以上である場合に、前記ＣＣＯ実施判定対象セルに対してＣＣＯを実施すると判定する実施判定部と、を備えたことを特徴とする。
【００１１】
本発明に係るＣＣＯ実施判定装置は、ＣＣＯ実施判定対象セルに対するＣＣＯの実施を判定するＣＣＯ実施判定装置であり、前記ＣＣＯ実施判定対象セルから隣接セルへ流出する方向のハンドオーバの発生した回数（流出ハンドオーバ回数）を記憶するハンドオーバ回数情報記憶部と、前記流出ハンドオーバ回数が流出閾値以上である場合に、前記ＣＣＯ実施判定対象セルに対してＣＣＯを実施すると判定する実施判定部と、を備えたことを特徴とする。
【００１２】
本発明に係るＣＣＯ実施判定装置は、ＣＣＯ実施判定対象セルに対するＣＣＯの実施を判定するＣＣＯ実施判定装置であり、前記ＣＣＯ実施判定対象セルから隣接セルへ流出する方向のハンドオーバの発生した回数（流出ハンドオーバ回数）と、隣接セルから前記ＣＣＯ実施判定対象セルへ流入する方向のハンドオーバの発生した回数（流入ハンドオーバ回数）とを記憶するハンドオーバ回数情報記憶部と、前記流出ハンドオーバ回数が流出閾値以上であり、且つ、前記流入ハンドオーバ回数が流入閾値以下である場合に、前記ＣＣＯ実施判定対象セルに対してＣＣＯを実施すると判定する実施判定部と、を備え、前記流入閾値は前記流出閾値以下である、ことを特徴とする。
【００１３】
本発明に係るＣＣＯ実施判定装置は、ＣＣＯ実施判定対象セルに対するＣＣＯの実施を判定するＣＣＯ実施判定装置であり、前記ＣＣＯ実施判定対象セルの隣接セルごとに負荷量を記憶するセル負荷情報記憶部と、前記セル負荷情報記憶部の情報に基づいて、前記ＣＣＯ実施判定対象セルの全隣接セルの負荷の平均値（隣接セル負荷平均値）を算出し、該隣接セル負荷平均値が負荷平均閾値以下である場合に、前記ＣＣＯ実施判定対象セルに対してＣＣＯを実施すると判定する実施判定部と、を備えたことを特徴とする。
【００１４】
本発明に係るＣＣＯ実施判定装置は、ＣＣＯ実施判定対象セルに対するＣＣＯの実施を判定するＣＣＯ実施判定装置であり、前記ＣＣＯ実施判定対象セルの隣接セルごとに負荷量を記憶するセル負荷情報記憶部と、前記セル負荷情報記憶部の情報に基づいて、前記ＣＣＯ実施判定対象セルの隣接セルのうち、負荷量が最大である隣接セルの負荷量（隣接セル最大負荷量）を求め、該隣接セル最大負荷量が最大負荷閾値以下である場合に、前記ＣＣＯ実施判定対象セルに対してＣＣＯを実施すると判定する実施判定部と、を備えたことを特徴とする。
【００１５】
本発明に係るＣＣＯ実施判定装置は、ＣＣＯ実施判定対象セルに対するＣＣＯの実施を判定するＣＣＯ実施判定装置であり、前記ＣＣＯ実施判定対象セルの隣接セルごとに負荷量を記憶するセル負荷情報記憶部と、前記セル負荷情報記憶部の情報に基づいて、前記ＣＣＯ実施判定対象セルの全隣接セルの負荷の平均値（隣接セル負荷平均値）を算出し、前記ＣＣＯ実施判定対象セルの隣接セルのうち負荷量が最大である隣接セルの負荷量（隣接セル最大負荷量）を求め、該隣接セル負荷平均値が負荷平均閾値以下である場合、該隣接セル最大負荷量が最大負荷閾値以下である場合、又は、該隣接セル負荷平均値が負荷平均閾値以下であり且つ該隣接セル最大負荷量が最大負荷閾値以下である場合に、前記ＣＣＯ実施判定対象セルに対してＣＣＯを実施すると判定する実施判定部と、を備えたことを特徴とする。
【００１６】
本発明に係るＣＣＯ実施判定装置は、ＣＣＯ実施判定対象セルに対するＣＣＯの実施を判定するＣＣＯ実施判定装置であり、前記ＣＣＯ実施判定対象セルのカバレッジホールに対する補償の前後における通信品質変化量を計算する通信品質変化量計算部と、前記通信品質変化量が閾値以上である場合に、前記ＣＣＯ実施判定対象セルに対してＣＣＯを実施すると判定する実施判定部と、を備えたことを特徴とする。
【００１７】
本発明に係るＣＣＯ実施判定装置は、ＣＣＯ実施判定対象セルに対するＣＣＯの実施を判定するＣＣＯ実施判定装置であり、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定部と、前記ＣＣＯ実施判定対象セルに接続する全端末のうち、セルサイトエッジ付近に在ると判定された端末の割合と、同一セルサイト内セルエッジ付近に在ると判定された端末の割合とに基づいて、前記ＣＣＯ実施判定対象セルに対して、アンテナチルト制御を実施するかの判定と、アンテナビーム幅制御を実施するかの判定とを行う実施判定部と、を備えたことを特徴とする。
【００１８】
本発明に係るＣＣＯ実施判定装置は、ＣＣＯ実施判定対象セルに対するＣＣＯの実施を判定するＣＣＯ実施判定装置であり、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定部と、前記セルサイトエッジ付近に在ると判定された端末を対象にして前記ＣＣＯ実施判定対象セルのセルサイトエッジ負荷分散量推定値を算出し、前記同一セルサイト内セルエッジ付近に在ると判定された端末を対象にして前記ＣＣＯ実施判定対象セルの同一セルサイト内セルエッジ負荷分散量推定値を算出する負荷分散量推定部と、前記セルサイトエッジ負荷分散量推定値と前記同一セルサイト内セルエッジ負荷分散量推定値とに基づいて、前記ＣＣＯ実施判定対象セルに対して、アンテナチルト制御を実施するかの判定と、アンテナビーム幅制御を実施するかの判定とを行う実施判定部と、を備えたことを特徴とする。
【００１９】
本発明に係るＣＣＯ実施判定装置は、ＣＣＯ実施判定対象セルに対するＣＣＯの実施を判定するＣＣＯ実施判定装置であり、前記ＣＣＯ実施判定対象セルの隣接セルごとに負荷量を記憶するセル負荷情報記憶部と、前記セル負荷情報記憶部の情報に基づいて、前記ＣＣＯ実施判定対象セルと異なるセルサイト内の全隣接セルの負荷の平均値（異セルサイト隣接セル負荷平均値）と、前記ＣＣＯ実施判定対象セルと同一セルサイト内の全隣接セルの負荷の平均値（同一セルサイト隣接セル負荷平均値）とを算出し、前記異セルサイト隣接セル負荷平均値と前記同一セルサイト隣接セル負荷平均値とに基づいて、前記ＣＣＯ実施判定対象セルに対して、アンテナチルト制御を実施するかの判定と、アンテナビーム幅制御を実施するかの判定とを行う実施判定部と、を備えたことを特徴とする。
【００２０】
本発明に係るＣＣＯ実施判定方法は、ＣＣＯ実施判定対象セルに対するＣＣＯの実施を判定するＣＣＯ実施判定装置におけるＣＣＯ実施判定方法であり、端末位置判定部が、前記ＣＣＯ実施判定対象セルに接続する端末が該ＣＣＯ実施判定対象セルのセルサイトエッジ付近に在るかを判定するステップと、実施判定部が、前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定するステップと、を含むことを特徴とする。
【００２１】
本発明に係るＣＣＯ実施判定方法は、ＣＣＯ実施判定対象セルに対するＣＣＯの実施を判定するＣＣＯ実施判定装置におけるＣＣＯ実施判定方法であり、端末位置判定部が、前記ＣＣＯ実施判定対象セルに接続する端末が該ＣＣＯ実施判定対象セルのセルサイトエッジ付近に在るかを判定するステップと、負荷分散量推定部が、前記セルサイトエッジ付近に在ると判定された端末を対象にして、前記ＣＣＯ実施判定対象セルの負荷分散量推定値を算出するステップと、実施判定部が、前記算出された負荷分散量推定値が閾値以上である場合に、前記ＣＣＯ実施判定対象セルに対してＣＣＯを実施すると判定するステップと、を含むことを特徴とする。
【００２２】
本発明に係るＣＣＯ実施判定方法は、ＣＣＯ実施判定対象セルに対するＣＣＯの実施を判定するＣＣＯ実施判定装置におけるＣＣＯ実施判定方法であり、端末位置判定部が、前記ＣＣＯ実施判定対象セルに接続する端末が該ＣＣＯ実施判定対象セルのセルサイトエッジ付近に在るかを判定するステップと、端末情報記憶部が、前記ＣＣＯ実施判定対象セルに接続する端末ごとに、複数のキャリア周波数に対応するか否かの情報を記憶するステップと、実施判定部が、前記セルサイトエッジ付近に在ると判定された端末を対象にして、前記端末情報記憶部の情報に基づいて複数のキャリア周波数に対応する端末の割合を算出し、該算出された割合が閾値以下である場合に、前記ＣＣＯ実施判定対象セルに対してＣＣＯを実施すると判定するステップと、を含むことを特徴とする。
【００２３】
本発明に係るＣＣＯ実施判定方法は、ＣＣＯ実施判定対象セルに対するＣＣＯの実施を判定するＣＣＯ実施判定装置におけるＣＣＯ実施判定方法であり、ハンドオーバ回数情報記憶部が、前記ＣＣＯ実施判定対象セルと隣接セル間で発生したハンドオーバの回数を記憶するステップと、実施判定部が、前記ハンドオーバの回数が閾値以上である場合に、前記ＣＣＯ実施判定対象セルに対してＣＣＯを実施すると判定するステップと、を含むことを特徴とする。
【００２４】
本発明に係るＣＣＯ実施判定方法は、ＣＣＯ実施判定対象セルに対するＣＣＯの実施を判定するＣＣＯ実施判定装置におけるＣＣＯ実施判定方法であり、ハンドオーバ回数情報記憶部が、前記ＣＣＯ実施判定対象セルから隣接セルへ流出する方向のハンドオーバの発生した回数（流出ハンドオーバ回数）を記憶するステップと、実施判定部が、前記流出ハンドオーバ回数が流出閾値以上である場合に、前記ＣＣＯ実施判定対象セルに対してＣＣＯを実施すると判定するステップと、を含むことを特徴とする。
【００２５】
本発明に係るＣＣＯ実施判定方法は、ＣＣＯ実施判定対象セルに対するＣＣＯの実施を判定するＣＣＯ実施判定装置におけるＣＣＯ実施判定方法であり、ハンドオーバ回数情報記憶部が、前記ＣＣＯ実施判定対象セルから隣接セルへ流出する方向のハンドオーバの発生した回数（流出ハンドオーバ回数）と、隣接セルから前記ＣＣＯ実施判定対象セルへ流入する方向のハンドオーバの発生した回数（流入ハンドオーバ回数）とを記憶するステップと、実施判定部が、前記流出ハンドオーバ回数が流出閾値以上であり、且つ、前記流入ハンドオーバ回数が流入閾値以下である場合に、前記ＣＣＯ実施判定対象セルに対してＣＣＯを実施すると判定するステップと、を含み、前記流入閾値は前記流出閾値以下である、ことを特徴とする。
【００２６】
本発明に係るＣＣＯ実施判定方法は、ＣＣＯ実施判定対象セルに対するＣＣＯの実施を判定するＣＣＯ実施判定装置におけるＣＣＯ実施判定方法であり、セル負荷情報記憶部が、前記ＣＣＯ実施判定対象セルの隣接セルごとに負荷量を記憶するステップと、実施判定部が、前記セル負荷情報記憶部の情報に基づいて、前記ＣＣＯ実施判定対象セルの全隣接セルの負荷の平均値（隣接セル負荷平均値）を算出し、該隣接セル負荷平均値が負荷平均閾値以下である場合に、前記ＣＣＯ実施判定対象セルに対してＣＣＯを実施すると判定するステップと、を含むことを特徴とする。
【００２７】
本発明に係るＣＣＯ実施判定方法は、ＣＣＯ実施判定対象セルに対するＣＣＯの実施を判定するＣＣＯ実施判定装置におけるＣＣＯ実施判定方法であり、セル負荷情報記憶部が、前記ＣＣＯ実施判定対象セルの隣接セルごとに負荷量を記憶するステップと、実施判定部が、前記セル負荷情報記憶部の情報に基づいて、前記ＣＣＯ実施判定対象セルの隣接セルのうち、負荷量が最大である隣接セルの負荷量（隣接セル最大負荷量）を求め、該隣接セル最大負荷量が最大負荷閾値以下である場合に、前記ＣＣＯ実施判定対象セルに対してＣＣＯを実施すると判定するステップと、を含むことを特徴とする。
【００２８】
本発明に係るＣＣＯ実施判定方法は、ＣＣＯ実施判定対象セルに対するＣＣＯの実施を判定するＣＣＯ実施判定装置におけるＣＣＯ実施判定方法であり、セル負荷情報記憶部が、前記ＣＣＯ実施判定対象セルの隣接セルごとに負荷量を記憶するステップと、実施判定部が、前記セル負荷情報記憶部の情報に基づいて、前記ＣＣＯ実施判定対象セルの全隣接セルの負荷の平均値（隣接セル負荷平均値）を算出し、前記ＣＣＯ実施判定対象セルの隣接セルのうち負荷量が最大である隣接セルの負荷量（隣接セル最大負荷量）を求め、該隣接セル負荷平均値が負荷平均閾値以下である場合、該隣接セル最大負荷量が最大負荷閾値以下である場合、又は、該隣接セル負荷平均値が負荷平均閾値以下であり且つ該隣接セル最大負荷量が最大負荷閾値以下である場合に、前記ＣＣＯ実施判定対象セルに対してＣＣＯを実施すると判定するステップと、を含むことを特徴とする。
【００２９】
本発明に係るＣＣＯ実施判定方法は、ＣＣＯ実施判定対象セルに対するＣＣＯの実施を判定するＣＣＯ実施判定装置におけるＣＣＯ実施判定方法であり、通信品質変化量計算部が、前記ＣＣＯ実施判定対象セルのカバレッジホールに対する補償の前後における通信品質変化量を計算するステップと、実施判定部が、前記通信品質変化量が閾値以上である場合に、前記ＣＣＯ実施判定対象セルに対してＣＣＯを実施すると判定するステップと、を含むことを特徴とする。
【００３０】
本発明に係るＣＣＯ実施判定方法は、ＣＣＯ実施判定対象セルに対するＣＣＯの実施を判定するＣＣＯ実施判定装置におけるＣＣＯ実施判定方法であり、端末位置判定部が、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行うステップと、実施判定部が、前記ＣＣＯ実施判定対象セルに接続する全端末のうち、セルサイトエッジ付近に在ると判定された端末の割合と、同一セルサイト内セルエッジ付近に在ると判定された端末の割合とに基づいて、前記ＣＣＯ実施判定対象セルに対して、アンテナチルト制御を実施するかの判定と、アンテナビーム幅制御を実施するかの判定とを行うステップと、を含むことを特徴とする。
【００３１】
本発明に係るＣＣＯ実施判定方法は、ＣＣＯ実施判定対象セルに対するＣＣＯの実施を判定するＣＣＯ実施判定装置におけるＣＣＯ実施判定方法であり、端末位置判定部が、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行うステップと、負荷分散量推定部が、前記セルサイトエッジ付近に在ると判定された端末を対象にして前記ＣＣＯ実施判定対象セルのセルサイトエッジ負荷分散量推定値を算出し、前記同一セルサイト内セルエッジ付近に在ると判定された端末を対象にして前記ＣＣＯ実施判定対象セルの同一セルサイト内セルエッジ負荷分散量推定値を算出するステップと、実施判定部が、前記セルサイトエッジ負荷分散量推定値と前記同一セルサイト内セルエッジ負荷分散量推定値とに基づいて、前記ＣＣＯ実施判定対象セルに対して、アンテナチルト制御を実施するかの判定と、アンテナビーム幅制御を実施するかの判定とを行うステップと、を含むことを特徴とする。
【００３２】
本発明に係るＣＣＯ実施判定方法は、ＣＣＯ実施判定対象セルに対するＣＣＯの実施を判定するＣＣＯ実施判定装置におけるＣＣＯ実施判定方法であり、セル負荷情報記憶部が、前記ＣＣＯ実施判定対象セルの隣接セルごとに負荷量を記憶するステップと、実施判定部が、前記セル負荷情報記憶部の情報に基づいて、前記ＣＣＯ実施判定対象セルと異なるセルサイト内の全隣接セルの負荷の平均値（異セルサイト隣接セル負荷平均値）と、前記ＣＣＯ実施判定対象セルと同一セルサイト内の全隣接セルの負荷の平均値（同一セルサイト隣接セル負荷平均値）とを算出し、前記異セルサイト隣接セル負荷平均値と前記同一セルサイト隣接セル負荷平均値とに基づいて、前記ＣＣＯ実施判定対象セルに対して、アンテナチルト制御を実施するかの判定と、アンテナビーム幅制御を実施するかの判定とを行うステップと、を含むことを特徴とする。
【００３３】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルに接続する端末が該ＣＣＯ実施判定対象セルのセルサイトエッジ付近に在るかを判定する端末位置判定ステップと、前記ＣＣＯ実施判定対象セルに接続する全端末のうちセルサイトエッジ付近に在ると判定された端末の割合が閾値以上である場合に、前記ＣＣＯ実施判定対象セルに対してＣＣＯを実施すると判定する実施判定ステップと、をコンピュータに実行させるためのコンピュータプログラムであることを特徴とする。
【００３４】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルに接続する端末が該ＣＣＯ実施判定対象セルのセルサイトエッジ付近に在るかを判定する端末位置判定ステップと、前記セルサイトエッジ付近に在ると判定された端末を対象にして、前記ＣＣＯ実施判定対象セルの負荷分散量推定値を算出する負荷分散量推定ステップと、前記算出された負荷分散量推定値が閾値以上である場合に、前記ＣＣＯ実施判定対象セルに対してＣＣＯを実施すると判定する実施判定ステップと、をコンピュータに実行させるためのコンピュータプログラムであることを特徴とする。
【００３５】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルに接続する端末が該ＣＣＯ実施判定対象セルのセルサイトエッジ付近に在るかを判定する端末位置判定ステップと、前記ＣＣＯ実施判定対象セルに接続する端末ごとに、複数のキャリア周波数に対応するか否かの情報を端末情報記憶部に記憶する端末情報記憶ステップと、前記セルサイトエッジ付近に在ると判定された端末を対象にして、前記端末情報記憶部の情報に基づいて複数のキャリア周波数に対応する端末の割合を算出し、該算出された割合が閾値以下である場合に、前記ＣＣＯ実施判定対象セルに対してＣＣＯを実施すると判定する実施判定ステップと、をコンピュータに実行させるためのコンピュータプログラムであることを特徴とする。
【００３６】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルと隣接セル間で発生したハンドオーバの回数をハンドオーバ回数情報記憶部に記憶するハンドオーバ回数情報記憶ステップと、前記ハンドオーバの回数が閾値以上である場合に、前記ＣＣＯ実施判定対象セルに対してＣＣＯを実施すると判定する実施判定ステップと、をコンピュータに実行させるためのコンピュータプログラムであることを特徴とする。
【００３７】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルから隣接セルへ流出する方向のハンドオーバの発生した回数（流出ハンドオーバ回数）をハンドオーバ回数情報記憶部に記憶するハンドオーバ回数情報記憶ステップと、前記流出ハンドオーバ回数が流出閾値以上である場合に、前記ＣＣＯ実施判定対象セルに対してＣＣＯを実施すると判定する実施判定ステップと、をコンピュータに実行させるためのコンピュータプログラムであることを特徴とする。
【００３８】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルから隣接セルへ流出する方向のハンドオーバの発生した回数（流出ハンドオーバ回数）と、隣接セルから前記ＣＣＯ実施判定対象セルへ流入する方向のハンドオーバの発生した回数（流入ハンドオーバ回数）とをハンドオーバ回数情報記憶部に記憶するハンドオーバ回数情報記憶ステップと、前記流出ハンドオーバ回数が流出閾値以上であり、且つ、前記流入ハンドオーバ回数が流入閾値以下である場合に、前記ＣＣＯ実施判定対象セルに対してＣＣＯを実施すると判定する実施判定ステップと、をコンピュータに実行させるためのコンピュータプログラムであり、前記流入閾値は前記流出閾値以下である、ことを特徴とする。
【００３９】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルの隣接セルごとに負荷量をセル負荷情報記憶部に記憶するセル負荷情報記憶ステップと、前記セル負荷情報記憶部の情報に基づいて、前記ＣＣＯ実施判定対象セルの全隣接セルの負荷の平均値（隣接セル負荷平均値）を算出し、該隣接セル負荷平均値が負荷平均閾値以下である場合に、前記ＣＣＯ実施判定対象セルに対してＣＣＯを実施すると判定する実施判定ステップと、をコンピュータに実行させるためのコンピュータプログラムであることを特徴とする。
【００４０】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルの隣接セルごとに負荷量をセル負荷情報記憶部に記憶するセル負荷情報記憶ステップと、前記セル負荷情報記憶部の情報に基づいて、前記ＣＣＯ実施判定対象セルの隣接セルのうち、負荷量が最大である隣接セルの負荷量（隣接セル最大負荷量）を求め、該隣接セル最大負荷量が最大負荷閾値以下である場合に、前記ＣＣＯ実施判定対象セルに対してＣＣＯを実施すると判定する実施判定ステップと、をコンピュータに実行させるためのコンピュータプログラムであることを特徴とする。
【００４１】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルの隣接セルごとに負荷量をセル負荷情報記憶部に記憶するセル負荷情報記憶ステップと、前記セル負荷情報記憶部の情報に基づいて、前記ＣＣＯ実施判定対象セルの全隣接セルの負荷の平均値（隣接セル負荷平均値）を算出し、前記ＣＣＯ実施判定対象セルの隣接セルのうち負荷量が最大である隣接セルの負荷量（隣接セル最大負荷量）を求め、該隣接セル負荷平均値が負荷平均閾値以下である場合、該隣接セル最大負荷量が最大負荷閾値以下である場合、又は、該隣接セル負荷平均値が負荷平均閾値以下であり且つ該隣接セル最大負荷量が最大負荷閾値以下である場合に、前記ＣＣＯ実施判定対象セルに対してＣＣＯを実施すると判定する実施判定ステップと、をコンピュータに実行させるためのコンピュータプログラムであることを特徴とする。
【００４２】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルのカバレッジホールに対する補償の前後における通信品質変化量を計算する通信品質変化量計算ステップと、前記通信品質変化量が閾値以上である場合に、前記ＣＣＯ実施判定対象セルに対してＣＣＯを実施すると判定する実施判定ステップと、をコンピュータに実行させるためのコンピュータプログラムであることを特徴とする。
【００４３】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定ステップと、前記ＣＣＯ実施判定対象セルに接続する全端末のうち、セルサイトエッジ付近に在ると判定された端末の割合と、同一セルサイト内セルエッジ付近に在ると判定された端末の割合とに基づいて、前記ＣＣＯ実施判定対象セルに対して、アンテナチルト制御を実施するかの判定と、アンテナビーム幅制御を実施するかの判定とを行う実施判定ステップと、をコンピュータに実行させるためのコンピュータプログラムであることを特徴とする。
【００４４】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルに接続する端末が、該ＣＣＯ実施判定対象セルのセルサイトエッジ付近に在るかの判定と、該ＣＣＯ実施判定対象セルの同一セルサイト内セルエッジ付近に在るかの判定とを行う端末位置判定ステップと、前記セルサイトエッジ付近に在ると判定された端末を対象にして前記ＣＣＯ実施判定対象セルのセルサイトエッジ負荷分散量推定値を算出し、前記同一セルサイト内セルエッジ付近に在ると判定された端末を対象にして前記ＣＣＯ実施判定対象セルの同一セルサイト内セルエッジ負荷分散量推定値を算出する負荷分散量推定ステップと、前記セルサイトエッジ負荷分散量推定値と前記同一セルサイト内セルエッジ負荷分散量推定値とに基づいて、前記ＣＣＯ実施判定対象セルに対して、アンテナチルト制御を実施するかの判定と、アンテナビーム幅制御を実施するかの判定とを行う実施判定ステップと、をコンピュータに実行させるためのコンピュータプログラムであることを特徴とする。
【００４５】
本発明に係るコンピュータプログラムは、ＣＣＯ実施判定対象セルに対するＣＣＯの実施を判定するＣＣＯ実施判定処理を行うためのコンピュータプログラムであって、前記ＣＣＯ実施判定対象セルの隣接セルごとに負荷量をセル負荷情報記憶部に記憶するセル負荷情報記憶ステップと、前記セル負荷情報記憶部の情報に基づいて、前記ＣＣＯ実施判定対象セルと異なるセルサイト内の全隣接セルの負荷の平均値（異セルサイト隣接セル負荷平均値）と、前記ＣＣＯ実施判定対象セルと同一セルサイト内の全隣接セルの負荷の平均値（同一セルサイト隣接セル負荷平均値）とを算出し、前記異セルサイト隣接セル負荷平均値と前記同一セルサイト隣接セル負荷平均値とに基づいて、前記ＣＣＯ実施判定対象セルに対して、アンテナチルト制御を実施するかの判定と、アンテナビーム幅制御を実施するかの判定とを行う実施判定ステップと、をコンピュータに実行させるためのコンピュータプログラムであることを特徴とする。
【発明の効果】
【００４６】
本発明によれば、ＣＣＯの実施を適切に判定することができるという効果が得られる。
【図面の簡単な説明】
【００４７】
【図１】本発明の一実施形態に係る無線通信システムのセル構成を説明するための説明図である。
【図２】図１に示すセルサイトに係るセルエッジ構成を説明するための説明図である。
【図３】本発明の実施例１に係るＣＣＯ実施判定装置１の構成を示すブロック図である。
【図４】本発明の実施例２に係るＣＣＯ実施判定装置１の構成を示すブロック図である。
【図５】本発明の実施例３に係るＣＣＯ実施判定装置１の構成を示すブロック図である。
【図６】本発明の実施例４に係るＣＣＯ実施判定装置１の構成を示すブロック図である。
【図７】本発明の実施例５に係るＣＣＯ実施判定装置１の構成を示すブロック図である。
【図８】本発明の実施例６に係るＣＣＯ実施判定装置１の構成を示すブロック図である。
【図９】アンテナチルト制御およびアンテナビーム幅制御の概念図である。
【図１０】従来のＣＣＯ技術を説明するための説明図である。
【発明を実施するための形態】
【００４８】
以下、図面を参照し、本発明の実施形態について説明する。
【００４９】
はじめに、本実施形態に係る無線通信システムのセル構成を説明する。図１は、本実施形態に係る無線通信システムのセル構成を説明するための説明図である。図１に示される本実施形態に係る無線通信システムのセル構成では、一基地局が一セルサイトを有する。一セルサイトは３個のセルから構成される。例えば、基地局１００Ａは、セルサイト２００Ａを有する。そのセルサイト２００Ａは３個のセル＃０，＃１，＃２から構成される。基地局１００Ａは、セル＃０，＃１，＃２の各々に対応する３個の基地局アンテナ＃０，＃１，＃２（図示せず）を有する。基地局１００Ａは、基地局アンテナ＃０によってセル＃０のカバレッジを形成し、基地局アンテナ＃１によってセル＃１のカバレッジを形成し、基地局アンテナ＃２によってセル＃２のカバレッジを形成する。
【００５０】
図２は、図１に示すセルサイトに係るセルエッジ構成を説明するための説明図である。図２には、図１のセルサイト２００Ａを一例として示している。セルエッジは、セル間の境界である。セルサイト２００Ａは、１２個のセルエッジ２０１〜２１２を有する。セル＃０は、セルエッジ２０１、２０２、２１０、２１２、２０９を有する。セル＃１は、セルエッジ２０３、２０４、２０５、２１１、２１０を有する。セル＃２は、セルエッジ２０６、２０７、２０８、２１２、２１１を有する。セルエッジ２０１〜２０９は、隣接するセルサイト間の境界（セルサイトエッジ）である。セルエッジ２１０〜２１２は、同一セルサイトに属するセル間の境界（同一セルサイト内セルエッジ）である。
【００５１】
以下、本実施形態に係るＣＣＯ実施判定装置の各実施例を説明する。なお、本実施形態においてＣＣＯの実施とは、ＣＣＯ実施対象セルの負荷を減少させることを目的として、基地局アンテナのチルト角、基地局アンテナのビーム幅または基地局アンテナからの電波の送信電力、を変更することにより、当該基地局アンテナから送信する電波によって形成されるカバレッジを小さくすることを指す。
【実施例１】
【００５２】
図３は、本発明の実施例１に係るＣＣＯ実施判定装置１の構成を示すブロック図である。図３において、ＣＣＯ実施判定装置１は、入力部１１と出力部１２と端末位置判定部１３と実施判定部１４を備える。入力部１１は、ＣＣＯ実施判定処理に使用される入力情報を入力する。出力部１２は、ＣＣＯ実施判定処理の結果であるＣＣＯ実施判定結果情報を出力する。端末位置判定部１３は、ＣＣＯ実施判定対象セルに接続する端末の位置を判定する。実施判定部１４は、端末位置判定部１３による端末の位置の判定結果に基づいて、ＣＣＯ実施判定対象セルに対するＣＣＯの実施を判定する。
【００５３】
ＣＣＯ実施判定対象セルの情報（ＣＣＯ実施判定対象セル情報）は入力部１１により入力される。端末位置判定部１３は、ＣＣＯ実施判定対象セル情報を用いて、ＣＣＯ実施判定対象セルに接続する各端末が該ＣＣＯ実施判定対象セルのセルサイトエッジ付近に在るかを判定する。この端末位置判定方法の例１−１、１−２を以下に示す。
【００５４】
（例１−１）
端末の通信品質が閾値以下である場合に、当該端末がセルサイトエッジ付近に在ると判定する。各端末の通信品質はＣＣＯ実施判定対象セル情報に含まれる。また、閾値は、任意に設定可能とする。端末の通信品質としては、例えば、RSRP（Reference Signal Received Power）、RSRQ（Reference Signal Received Quality）、CQI（Channel Quality Indicator）などが利用可能である。
【００５５】
（例１−２）
端末のＣＣＯ実施判定対象セルに関する通信品質と、当該端末のＣＣＯ実施判定対象セルの隣接セルに関する通信品質との差分の絶対値が閾値以下である場合に、当該端末がセルサイトエッジ付近に在ると判定する。各端末の各通信品質はＣＣＯ実施判定対象セル情報に含まれる。また、閾値は、任意に設定可能とする。端末の通信品質としては、例えば、RSRPが利用可能である。
【００５６】
実施判定部１４は、端末位置判定部１３による端末の位置の判定結果に基づいて、ＣＣＯ実施判定対象セルに接続する全端末のうち、セルサイトエッジ付近に在ると判定された端末の割合を算出する。次いで、実施判定部１４は、該算出された割合が閾値以上である場合に、ＣＣＯ実施判定対象セルに対してＣＣＯを実施すると判定する。該閾値は任意に設定可能とする。
【実施例２】
【００５７】
図４は、本発明の実施例２に係るＣＣＯ実施判定装置１の構成を示すブロック図である。図４において、ＣＣＯ実施判定装置１は、入力部１１と出力部１２と端末位置判定部１３と実施判定部１４と負荷分散量推定部２１を備える。入力部１１は、ＣＣＯ実施判定処理に使用される入力情報を入力する。出力部１２は、ＣＣＯ実施判定処理の結果であるＣＣＯ実施判定結果情報を出力する。
【００５８】
端末位置判定部１３は、ＣＣＯ実施判定対象セルに接続する端末の位置を判定する。負荷分散量推定部２１は、端末位置判定部１３によってセルサイトエッジ付近に在ると判定された端末を対象にして、ＣＣＯ実施判定対象セルの負荷分散量を推定する。実施判定部１４は、負荷分散量推定部２１により算出された負荷分散量推定値に基づいて、ＣＣＯ実施判定対象セルに対するＣＣＯの実施を判定する。
【００５９】
ＣＣＯ実施判定対象セル情報は入力部１１により入力される。端末位置判定部１３は、ＣＣＯ実施判定対象セル情報を用いて、ＣＣＯ実施判定対象セルに接続する各端末が該ＣＣＯ実施判定対象セルのセルサイトエッジ付近に在るかを判定する。この端末位置判定方法は上記実施例１と同様である。
【００６０】
負荷分散量推定部２１は、端末位置判定部１３によってセルサイトエッジ付近に在ると判定された端末（セルサイトエッジ端末）を対象にして、ＣＣＯ実施判定対象セルの負荷分散量を推定する。この負荷分散量推定方法の例２−１、２−２を以下に示す。
【００６１】
（例２−１）
全セルサイトエッジ端末を対象にして、各セルサイトエッジ端末がＣＣＯ実施判定対象セルで通信する予定のデータ量の合計値を負荷分散量推定値とする。各端末がＣＣＯ実施判定対象セルで通信する予定のデータ量は、ＣＣＯ実施判定対象セル情報に含まれる。
【００６２】
なお、端末がＣＣＯ実施判定対象セルで通信する予定のデータ量は、下りリンクのデータ量を用いてもよく、又は、上りリンクのデータ量を用いてもよく、又は、下りリンのデータ量と上りリンクのデータ量の合計を用いてもよい。また、上りリンクのデータ量としては、端末の送信バッファに存在するデータ量が利用可能である。下りリンクのデータ量としては、基地局の送信バッファに存在するデータ量が利用可能である。
【００６３】
（例２−２）
まず、全セルサイトエッジ端末を対象にして、各セルサイトエッジ端末がＣＣＯ実施判定対象セルで通信する予定のデータ量を伝送するために必要な無線リソース量を算出する。この無線リソース量の算出では、例えば、ＣＣＯ実施判定対象セルに実装されたスケジューラと同じ無線リソース量算出方法を用いる。無線リソース量の算出に必要な情報は、ＣＣＯ実施判定対象セル情報に含まれる。次いで、全セルサイトエッジ端末を対象にして、該算出された無線リソース量を合計し、この合計値を負荷分散量推定値とする。なお、無線リソースとしては、リソースブロック（ＲＢ（Resource Block））が利用可能である。
【００６４】
実施判定部１４は、負荷分散量推定部２１によって算出された負荷分散量推定値が閾値以上である場合に、ＣＣＯ実施判定対象セルに対してＣＣＯを実施すると判定する。該閾値は任意に設定可能とする。
【実施例３】
【００６５】
図５は、本発明の実施例３に係るＣＣＯ実施判定装置１の構成を示すブロック図である。図５において、ＣＣＯ実施判定装置１は、入力部１１と出力部１２と端末位置判定部１３と実施判定部１４と端末情報記憶部３１を備える。入力部１１は、ＣＣＯ実施判定処理に使用される入力情報を入力する。出力部１２は、ＣＣＯ実施判定処理の結果であるＣＣＯ実施判定結果情報を出力する。
【００６６】
端末位置判定部１３は、ＣＣＯ実施判定対象セルに接続する端末の位置を判定する。端末情報記憶部３１は、ＣＣＯ実施判定対象セルに接続する端末の情報を記憶する。実施判定部１４は、複数のキャリア周波数に対応する端末の割合に基づいて、ＣＣＯ実施判定対象セルに対するＣＣＯの実施を判定する。
【００６７】
ＣＣＯ実施判定対象セル情報は入力部１１により入力される。端末位置判定部１３は、ＣＣＯ実施判定対象セル情報を用いて、ＣＣＯ実施判定対象セルに接続する各端末が該ＣＣＯ実施判定対象セルのセルサイトエッジ付近に在るかを判定する。この端末位置判定方法は上記実施例１と同様である。端末情報記憶部３１は、ＣＣＯ実施判定対象セルに接続する端末ごとに、複数のキャリア周波数に対応するか否かの情報を記憶する。
【００６８】
実施判定部１４は、端末位置判定部１３によってセルサイトエッジ付近に在ると判定された端末（セルサイトエッジ端末）を対象にして、端末情報記憶部３１から、複数のキャリア周波数に対応するか否かの情報を取得する。次いで、実施判定部１４は、全セルサイトエッジ端末のうち、複数のキャリア周波数に対応するセルサイトエッジ端末の割合を算出する。次いで、実施判定部１４は、該算出された割合が閾値以下である場合に、ＣＣＯ実施判定対象セルに対してＣＣＯを実施すると判定する。該閾値は任意に設定可能とする。
【実施例４】
【００６９】
図６は、本発明の実施例４に係るＣＣＯ実施判定装置１の構成を示すブロック図である。図６において、ＣＣＯ実施判定装置１は、入力部１１と出力部１２と実施判定部１４とハンドオーバ回数情報記憶部３３を備える。入力部１１は、ＣＣＯ実施判定処理に使用される入力情報を入力する。出力部１２は、ＣＣＯ実施判定処理の結果であるＣＣＯ実施判定結果情報を出力する。
【００７０】
ハンドオーバ回数情報記憶部３３は、ＣＣＯ実施判定対象セルと隣接セル間で発生したハンドオーバの回数を記憶する。実施判定部１４は、ハンドオーバ回数情報記憶部３３の情報に基づいて、ＣＣＯ実施判定対象セルと隣接セル間で発生したハンドオーバの回数が閾値以上である場合に、ＣＣＯ実施判定対象セルに対してＣＣＯを実施すると判定する。該閾値は任意に設定可能とする。
【００７１】
なお、ハンドオーバ回数情報記憶部３３は、ＣＣＯ実施判定対象セルから隣接セルへ流出する方向のハンドオーバの発生した回数（流出ハンドオーバ回数）と、隣接セルからＣＣＯ実施判定対象セルへ流入する方向のハンドオーバの発生した回数（流入ハンドオーバ回数）とを、それぞれに記憶するようにしてもよい。そして、流出ハンドオーバ回数に対する閾値（流出閾値）と、流入ハンドオーバ回数に対する閾値（流入閾値）とをそれぞれ設ける。該流出閾値および該流入閾値は任意に設定可能とする。
【００７２】
実施判定部１４は、流出ハンドオーバ回数が流出閾値以上である場合に、ＣＣＯ実施判定対象セルに対してＣＣＯを実施すると判定する。又は、実施判定部１４は、流出ハンドオーバ回数が流出閾値以上であり、且つ、流入ハンドオーバ回数が流入閾値以下である場合に、ＣＣＯ実施判定対象セルに対してＣＣＯを実施すると判定する。但し、流出閾値≧流入閾値である。
【実施例５】
【００７３】
図７は、本発明の実施例５に係るＣＣＯ実施判定装置１の構成を示すブロック図である。図７において、ＣＣＯ実施判定装置１は、入力部１１と出力部１２と実施判定部１４とセル負荷情報記憶部３５を備える。入力部１１は、ＣＣＯ実施判定処理に使用される入力情報を入力する。出力部１２は、ＣＣＯ実施判定処理の結果であるＣＣＯ実施判定結果情報を出力する。
【００７４】
セル負荷情報記憶部３５は、ＣＣＯ実施判定対象セルの隣接セルごとに負荷量を記憶する。負荷量としては、無線リソース使用率が利用可能である。無線リソースとしては、ＲＢが利用可能である。
【００７５】
実施判定部１４は、セル負荷情報記憶部３５の情報に基づいて、ＣＣＯ実施判定対象セルの全隣接セルの負荷の平均値（隣接セル負荷平均値）を算出する。また、実施判定部１４は、セル負荷情報記憶部３５の情報に基づいて、ＣＣＯ実施判定対象セルの隣接セルのうち、負荷量が最大である隣接セルの負荷量（隣接セル最大負荷量）を求める。次いで、実施判定部１４は、隣接セル負荷平均値を負荷平均閾値と比較する。また、実施判定部１４は、隣接セル最大負荷量を最大負荷閾値と比較する。
【００７６】
次いで、実施判定部１４は、該比較の結果のうち、少なくとも一つの結果が閾値以下である場合に、ＣＣＯ実施判定対象セルに対してＣＣＯを実施すると判定する。したがって、隣接セル負荷平均値が負荷平均閾値以下である場合、隣接セル最大負荷量が最大負荷閾値以下である場合、又は、隣接セル負荷平均値が負荷平均閾値以下であり且つ隣接セル最大負荷量が最大負荷閾値以下である場合、のいずれの場合も、ＣＣＯ実施判定対象セルに対してＣＣＯを実施すると判定される。負荷平均閾値および最大負荷閾値は任意に設定可能とする。
【実施例６】
【００７７】
図８は、本発明の実施例６に係るＣＣＯ実施判定装置１の構成を示すブロック図である。図８において、ＣＣＯ実施判定装置１は、入力部１１と出力部１２と実施判定部１４と通信品質変化量計算部４１を備える。入力部１１は、ＣＣＯ実施判定処理に使用される入力情報を入力する。出力部１２は、ＣＣＯ実施判定処理の結果であるＣＣＯ実施判定結果情報を出力する。
【００７８】
通信品質変化量計算部４１は、ＣＣＯ実施判定対象セルのカバレッジホールに対する補償の前後における通信品質変化量を計算する。この通信品質変化量の計算方法を以下に説明する。
【００７９】
通信品質変化量計算部４１は、特定エリア（通信品質計算対象エリア）に対して、ＣＣＯ実施判定対象セルにＣＣＯを実施した後の通信品質（ＣＣＯ実施後通信品質）を計算する。また、通信品質変化量計算部４１は、該同じ特定エリアに対して、ＣＣＯ実施判定対象セルにＣＣＯを実施し、且つ、該ＣＣＯの実施により発生するカバレッジホールに対する補償を実施した後の通信品質（補償実施後通信品質）を計算する。なお、通信品質としては、SINR（Signal to Interference and Noise power Ratio）、RSRP、RSRQなどが利用可能である。ＣＣＯ実施判定対象セルと他セルのうち、計算対象のエリア内で受信電力が大きい方のセルを所望セルとし、小さい方を非所望セルとする。
【００８０】
次いで、通信品質変化量計算部４１は、該算出された結果を用いて、補償実施後通信品質からＣＣＯ実施後通信品質を減算し、該減算結果を通信品質変化量とする。次いで、通信品質変化量計算部４１は、該通信品質変化量が閾値以上である場合に、ＣＣＯ実施判定対象セルに対してＣＣＯを実施すると判定する。該閾値は任意に設定可能とする。
【００８１】
なお、補償実施後通信品質が閾値以上である場合に、ＣＣＯ実施判定対象セルに対してＣＣＯを実施すると判定してもよい。
【００８２】
また、特定エリア（通信品質計算対象エリア）としては、例えば、ＣＣＯ実施判定対象セルにＣＣＯを実施したことにより、該ＣＣＯの実施前に比べて通信品質が劣化するエリアを選択することが挙げられる。
【００８３】
また、特定エリア（通信品質計算対象エリア）内を、x[m]四方の区画（計算区画）にメッシュ状に区分けしてもよい。xは任意に設定可能とする。この場合、通信品質変化量計算部４１は、計算区画ごとに、ＣＣＯ実施後通信品質および補償実施後通信品質を計算する。そして、通信品質変化量計算部４１は、全計算区画を対象にして、補償実施後通信品質の合計値からＣＣＯ実施後通信品質の合計値を減算し、該減算結果を通信品質変化量とする。
【００８４】
なお、ＣＣＯ実施判定対象セルのカバレッジホールに対する補償は、例えば、ＣＣＯ実施判定対象セルの隣接セルのカバレッジを拡大することにより実施することが挙げられる。
【実施例７】
【００８５】
実施例７では、ＣＣＯの実施として、基地局アンテナのチルト角を変更（アンテナチルト制御）するかの判定と、基地局アンテナのビーム幅を変更（アンテナビーム幅制御）するかの判定とを行う。図９は、アンテナチルト制御する場合と、アンテナビーム幅制御する場合の概念図である。
【００８６】
図９（１）において、アンテナチルト制御では、ＣＣＯ実施対象セルのメインビーム方向でカバレッジが縮小する。このため、ＣＣＯ実施対象セルにおいてメインビーム方向のセルエッジ付近に在る端末が他セルに移行されやすい。一方、図９（２）において、アンテナビーム幅制御では、ＣＣＯ実施対象セルのメインビームの側面方向でカバレッジが縮小する。このため、ＣＣＯ実施対象セルにおいてメインビームの側面方向のセルエッジ付近に在る端末が他セルに移行されやすい。本実施例７は、該知見に基づいたものである。
【００８７】
実施例７に係るＣＣＯ実施判定装置１の構成は図３の構成と同様である。以下、図３の構成に基づいて、実施例７に係るＣＣＯ実施判定装置１を説明する。
【００８８】
図３において、ＣＣＯ実施判定装置１は、入力部１１と出力部１２と端末位置判定部１３と実施判定部１４を備える。入力部１１は、ＣＣＯ実施判定処理に使用される入力情報を入力する。出力部１２は、ＣＣＯ実施判定処理の結果であるＣＣＯ実施判定結果情報を出力する。端末位置判定部１３は、ＣＣＯ実施判定対象セルに接続する端末の位置を判定する。実施判定部１４は、端末位置判定部１３による端末の位置の判定結果に基づいて、ＣＣＯ実施判定対象セルに対するＣＣＯの実施を判定する。
【００８９】
ＣＣＯ実施判定対象セル情報は入力部１１により入力される。端末位置判定部１３は、ＣＣＯ実施判定対象セル情報を用いて、ＣＣＯ実施判定対象セルに接続する各端末が、該ＣＣＯ実施判定対象セルのセルサイトエッジ付近に在るかの判定と、該ＣＣＯ実施判定対象セルの同一セルサイト内セルエッジ付近に在るかの判定と、を行う。この端末位置判定方法の例７−１−１、７−１−２、７−１−３を以下に示す。
【００９０】
（例７−１−１）
端末のRSRPがセルサイトエッジ判定用RSRP閾値以下であり且つ当該端末のRSRQがセルサイトエッジ判定用RSRQ閾値以下である場合に、当該端末がセルサイトエッジ付近に在ると判定する。一方、端末のRSRPが同一セルサイト内セルエッジ判定用RSRP閾値以上であり且つ当該端末のRSRQが同一セルサイト内セルエッジ判定用RSRQ閾値以下である場合に、当該端末が同一セルサイト内セルエッジ付近に在ると判定する。該各閾値は任意に設定可能とする。
【００９１】
（例７−１−２）
端末のＣＣＯ実施判定対象セルに関する通信品質と、当該端末のＣＣＯ実施判定対象セルの隣接セルに関する通信品質との差分の絶対値を求める。そして、該絶対値がセルサイトエッジ判定用閾値以下であり、且つ、該絶対値が同一セルサイト内セルエッジ判定用閾値以下である端末を抽出する。そして、該抽出された端末に対して、該絶対値が最も小さい隣接セルがＣＣＯ実施判定対象セルと同一セルサイト内のセルである場合に当該端末が同一セルサイト内セルエッジ付近に在ると判定し、一方、該絶対値が最も小さい隣接セルがＣＣＯ実施判定対象セルと同一セルサイト内のセルでない場合に当該端末がセルサイトエッジ付近に在ると判定する。該各閾値は任意に設定可能とする。端末の通信品質としては、例えば、RSRPが利用可能である。
【００９２】
（例７−１−３）
ＧＰＳ等の位置測定装置を利用して端末の位置を測定し、該測定された端末の位置情報を入力部１１により入力する。そして、該端末の位置情報で示される位置がセルサイトエッジ判定用区域内にある場合に、当該端末がセルサイトエッジ付近に在ると判定する。一方、該端末の位置情報で示される位置が同一セルサイト内セルエッジ判定用区域内にある場合に、当該端末が同一セルサイト内セルエッジ付近に在ると判定する。セルサイトエッジ判定用区域および同一セルサイト内セルエッジ判定用区域は任意に設定可能とする。
【００９３】
実施判定部１４は、端末位置判定部１３による端末の位置の判定結果に基づいて、ＣＣＯ実施判定対象セルに対するＣＣＯの実施を判定する。このＣＣＯ実施判定方法の例７−２−１、７−２−２を以下に示す。
【００９４】
（例７−２−１）
実施判定部１４は、端末位置判定部１３による端末の位置の判定結果に基づいて、ＣＣＯ実施判定対象セルに接続する全端末のうち、セルサイトエッジ付近に在ると判定された端末の割合（セルサイトエッジ端末割合）と、同一セルサイト内セルエッジ付近に在ると判定された端末の割合（同一セルサイト内セルエッジ端末割合）を算出する。
【００９５】
次いで、実施判定部１４は、該算出されたセルサイトエッジ端末割合と同一セルサイト内セルエッジ端末割合を比較する。次いで、実施判定部１４は、該比較の結果、セルサイトエッジ端末割合の方が大きい場合に、ＣＣＯ実施判定対象セルに対してアンテナチルト制御を実施すると判定する。一方、実施判定部１４は、該比較の結果、同一セルサイト内セルエッジ端末割合の方が大きい場合に、ＣＣＯ実施判定対象セルに対してアンテナビーム幅制御を実施すると判定する。これにより、ＣＣＯ実施判定対象セルに対して、アンテナチルト制御またはアンテナビーム幅制御のいずれか適している方を行うことを判定できる。
【００９６】
（例７−２−２）
実施判定部１４は、端末位置判定部１３による端末の位置の判定結果に基づいて、セルサイトエッジ端末割合と同一セルサイト内セルエッジ端末割合を算出する。次いで、実施判定部１４は、該算出されたセルサイトエッジ端末割合がアンテナチルト制御判定閾値以上である場合にＣＣＯ実施判定対象セルに対してアンテナチルト制御を実施すると判定し、そうでない場合にはＣＣＯ実施判定対象セルに対してアンテナチルト制御を実施しないと判定する。また、実施判定部１４は、該算出された同一セルサイト内セルエッジ端末割合がアンテナビーム幅制御判定閾値以上である場合にＣＣＯ実施判定対象セルに対してアンテナビーム幅制御を実施すると判定し、そうでない場合にはＣＣＯ実施判定対象セルに対してアンテナビーム幅制御を実施しないと判定する。アンテナチルト制御判定閾値およびアンテナビーム幅制御判定閾値は任意に設定可能とする。これにより、ＣＣＯ実施判定対象セルに対して、アンテナチルト制御を行うか否かと、アンテナビーム幅制御を行うか否かを適切に判定できる。
【実施例８】
【００９７】
実施例８では、ＣＣＯの実施として、基地局アンテナのチルト角を変更（アンテナチルト制御）するかの判定と、基地局アンテナのビーム幅を変更（アンテナビーム幅制御）するかの判定とを行う。
【００９８】
実施例８に係るＣＣＯ実施判定装置１の構成は図４の構成と同様である。以下、図４の構成に基づいて、実施例８に係るＣＣＯ実施判定装置１を説明する。
【００９９】
図４において、ＣＣＯ実施判定装置１は、入力部１１と出力部１２と端末位置判定部１３と実施判定部１４と負荷分散量推定部２１を備える。入力部１１は、ＣＣＯ実施判定処理に使用される入力情報を入力する。出力部１２は、ＣＣＯ実施判定処理の結果であるＣＣＯ実施判定結果情報を出力する。
【０１００】
ＣＣＯ実施判定対象セル情報は入力部１１により入力される。端末位置判定部１３は、ＣＣＯ実施判定対象セル情報を用いて、ＣＣＯ実施判定対象セルに接続する各端末が、該ＣＣＯ実施判定対象セルのセルサイトエッジ付近に在るかの判定と、該ＣＣＯ実施判定対象セルの同一セルサイト内セルエッジ付近に在るかの判定と、を行う。この端末位置判定方法は上記実施例７と同様である。
【０１０１】
負荷分散量推定部２１は、端末位置判定部１３によってセルサイトエッジ付近に在ると判定された端末（セルサイトエッジ端末）を対象にして、ＣＣＯ実施判定対象セルの負荷分散量推定値（セルサイトエッジ負荷分散量推定値）を算出する。また、負荷分散量推定部２１は、端末位置判定部１３によって同一セルサイト内セルエッジ付近に在ると判定された端末（同一セルサイト内セルエッジ端末）を対象にして、ＣＣＯ実施判定対象セルの負荷分散量推定値（同一セルサイト内セルエッジ負荷分散量推定値）を算出する。この負荷分散量推定方法の例８−１−１、８−１−２を以下に示す。
【０１０２】
（例８−１−１）
全セルサイトエッジ端末を対象にして、各セルサイトエッジ端末がＣＣＯ実施判定対象セルで通信する予定のデータ量の合計値をセルサイトエッジ負荷分散量推定値とする。また、全同一セルサイト内セルエッジ端末を対象にして、各同一セルサイト内セルエッジ端末がＣＣＯ実施判定対象セルで通信する予定のデータ量の合計値を同一セルサイト内セルエッジ負荷分散量推定値とする。各端末がＣＣＯ実施判定対象セルで通信する予定のデータ量は、ＣＣＯ実施判定対象セル情報に含まれる。
【０１０３】
なお、端末がＣＣＯ実施判定対象セルで通信する予定のデータ量は、下りリンクのデータ量を用いてもよく、又は、上りリンクのデータ量を用いてもよく、又は、下りリンのデータ量と上りリンクのデータ量の合計を用いてもよい。また、上りリンクのデータ量としては、端末の送信バッファに存在するデータ量が利用可能である。下りリンクのデータ量としては、基地局の送信バッファに存在するデータ量が利用可能である。
【０１０４】
（例８−１−２）
全セルサイトエッジ端末を対象にして、各セルサイトエッジ端末がＣＣＯ実施判定対象セルで通信する予定のデータ量を伝送するために必要な無線リソース量を算出する。次いで、全セルサイトエッジ端末を対象にして、該算出された無線リソース量を合計し、この合計値をセルサイトエッジ負荷分散量推定値とする。
【０１０５】
また、全同一セルサイト内セルエッジ端末を対象にして、各同一セルサイト内セルエッジ端末がＣＣＯ実施判定対象セルで通信する予定のデータ量を伝送するために必要な無線リソース量を算出する。次いで、全同一セルサイト内セルエッジ端末を対象にして、該算出された無線リソース量を合計し、この合計値を同一セルサイト内セルエッジ負荷分散量推定値とする。
【０１０６】
上記無線リソース量の算出では、例えば、ＣＣＯ実施判定対象セルに実装されたスケジューラと同じ無線リソース量算出方法を用いる。無線リソース量の算出に必要な情報は、ＣＣＯ実施判定対象セル情報に含まれる。無線リソースとしては、ＲＢが利用可能である。
【０１０７】
実施判定部１４は、負荷分散量推定部２１により算出されたセルサイトエッジ負荷分散量推定値および同一セルサイト内セルエッジ負荷分散量推定値に基づいて、ＣＣＯ実施判定対象セルに対するＣＣＯの実施を判定する。このＣＣＯ実施判定方法の例８−２−１、８−２−２を以下に示す。
【０１０８】
（例８−２−１）
セルサイトエッジ負荷分散量推定値の方が同一セルサイト内セルエッジ負荷分散量推定値よりも大きい場合に、ＣＣＯ実施判定対象セルに対してアンテナチルト制御を実施すると判定する。一方、同一セルサイト内セルエッジ負荷分散量推定値の方がセルサイトエッジ負荷分散量推定値よりも大きい場合に、ＣＣＯ実施判定対象セルに対してアンテナビーム幅制御を実施すると判定する。これにより、ＣＣＯ実施判定対象セルに対して、アンテナチルト制御またはアンテナビーム幅制御のいずれか適している方を行うことを判定できる。
【０１０９】
（例８−２−２）
セルサイトエッジ負荷分散量推定値がアンテナチルト制御判定閾値以上である場合にＣＣＯ実施判定対象セルに対してアンテナチルト制御を実施すると判定し、そうでない場合にはＣＣＯ実施判定対象セルに対してアンテナチルト制御を実施しないと判定する。また、同一セルサイト内セルエッジ負荷分散量推定値がアンテナビーム幅制御判定閾値以上である場合にＣＣＯ実施判定対象セルに対してアンテナビーム幅制御を実施すると判定し、そうでない場合にはＣＣＯ実施判定対象セルに対してアンテナビーム幅制御を実施しないと判定する。アンテナチルト制御判定閾値およびアンテナビーム幅制御判定閾値は任意に設定可能とする。これにより、ＣＣＯ実施判定対象セルに対して、アンテナチルト制御を行うか否かと、アンテナビーム幅制御を行うか否かを適切に判定できる。
【実施例９】
【０１１０】
実施例９では、ＣＣＯの実施として、基地局アンテナのチルト角を変更（アンテナチルト制御）するかの判定と、基地局アンテナのビーム幅を変更（アンテナビーム幅制御）するかの判定とを行う。
【０１１１】
実施例９に係るＣＣＯ実施判定装置１の構成は図７の構成と同様である。以下、図７の構成に基づいて、実施例９に係るＣＣＯ実施判定装置１を説明する。
【０１１２】
図７において、ＣＣＯ実施判定装置１は、入力部１１と出力部１２と実施判定部１４とセル負荷情報記憶部３５を備える。入力部１１は、ＣＣＯ実施判定処理に使用される入力情報を入力する。出力部１２は、ＣＣＯ実施判定処理の結果であるＣＣＯ実施判定結果情報を出力する。
【０１１３】
セル負荷情報記憶部３５は、ＣＣＯ実施判定対象セルの隣接セルごとに負荷量を記憶する。負荷量としては、無線リソース使用率が利用可能である。無線リソースとしては、ＲＢが利用可能である。
【０１１４】
実施判定部１４は、セル負荷情報記憶部３５の情報に基づいて、ＣＣＯ実施判定対象セルと異なるセルサイト内の全隣接セルの負荷の平均値（異セルサイト隣接セル負荷平均値）を算出する。また、実施判定部１４は、セル負荷情報記憶部３５の情報に基づいて、ＣＣＯ実施判定対象セルと同一セルサイト内の全隣接セルの負荷の平均値（同一セルサイト隣接セル負荷平均値）を算出する。
【０１１５】
次いで、実施判定部１４は、該算出された異セルサイト隣接セル負荷平均値および同一セルサイト隣接セル負荷平均値に基づいて、ＣＣＯ実施判定対象セルに対するＣＣＯの実施を判定する。このＣＣＯ実施判定方法の例９−１、９−２を以下に示す。
【０１１６】
（例９−１）
異セルサイト隣接セル負荷平均値の方が同一セルサイト隣接セル負荷平均値よりも小さい場合に、ＣＣＯ実施判定対象セルに対してアンテナチルト制御を実施すると判定する。一方、同一セルサイト隣接セル負荷平均値の方が異セルサイト隣接セル負荷平均値よりも小さい場合に、ＣＣＯ実施判定対象セルに対してアンテナビーム幅制御を実施すると判定する。これにより、ＣＣＯ実施判定対象セルに対して、アンテナチルト制御またはアンテナビーム幅制御のいずれか適している方を行うことを判定できる。
【０１１７】
（例９−２）
異セルサイト隣接セル負荷平均値がアンテナチルト制御判定閾値以下である場合にＣＣＯ実施判定対象セルに対してアンテナチルト制御を実施すると判定し、そうでない場合にはＣＣＯ実施判定対象セルに対してアンテナチルト制御を実施しないと判定する。また、同一セルサイト隣接セル負荷平均値がアンテナビーム幅制御判定閾値以下である場合にＣＣＯ実施判定対象セルに対してアンテナビーム幅制御を実施すると判定し、そうでない場合にはＣＣＯ実施判定対象セルに対してアンテナビーム幅制御を実施しないと判定する。アンテナチルト制御判定閾値およびアンテナビーム幅制御判定閾値は任意に設定可能とする。これにより、ＣＣＯ実施判定対象セルに対して、アンテナチルト制御を行うか否かと、アンテナビーム幅制御を行うか否かを適切に判定できる。
【０１１８】
上述した実施例７、８、９によれば、ＣＣＯ実施判定対象セルに対して、アンテナチルト制御が適しているか否かの判定結果に基づいてアンテナチルト制御を行うか否かを判定できる。また、ＣＣＯ実施判定対象セルに対して、アンテナビーム幅制御が適しているか否かの判定結果に基づいてアンテナビーム幅制御を行うか否かを判定できる。これにより、ＣＣＯ実施判定対象セルに対して、アンテナチルト制御またはアンテナビーム幅制御を効果的に実施できるという効果が得られる。
【０１１９】
なお、上記実施例１から９までのいずれかを単独で用いてもよく、又は、上記実施例１から９までのいずれか複数を組み合わせて用いてもよい。
【０１２０】
以上、本発明の実施形態について図面を参照して詳述してきたが、具体的な構成はこの実施形態に限られるものではなく、本発明の要旨を逸脱しない範囲の設計変更等も含まれる。
【０１２１】
また、上述したＣＣＯ実施判定装置１を実現するためのプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【０１２２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２３】
１…ＣＣＯ実施判定装置、１１…入力部、１２…出力部、１３…端末位置判定部、１４…実施判定部、２１…負荷分散量推定部、３１…端末情報記憶部、３３…ハンドオーバ回数情報記憶部、３５…セル負荷情報記憶部、４１…通信品質変化量計算部
【図１】
2014239352.tif 000003
【図２】
2014239352.tif 000004
【図３】
2014239352.tif 000005
【図４】
2014239352.tif 000006
【図５】
2014239352.tif 000007
【図６】
2014239352.tif 000008
【図７】
2014239352.tif 000009
【図８】
2014239352.tif 000010
【図９】
2014239352.tif 000011
【図１０】
2014239352.tif 000012